(57)【要約】【課題】研磨パッドの所望の領域の表面温度に基づいて研磨パッドの表面温度を制御しながら基板を研磨することができる研磨方法を提供する。【解決手段】研磨方法は、基板Ｗを研磨しているときに、研磨パッド３の半径方向に沿った、研磨パッド３の表面温度分布を測定し、研磨パッド３の表面上のターゲット位置での研磨パッド３の表面温度を表面温度分布から取得し、ターゲット位置での表面温度と、予め設定された目標温度との偏差をなくすためのパッド温度調整システム５の操作量を計算し、操作量に従ってパッド温度調整システム５を操作しながら、パッド温度調整システム５で研磨パッド３の表面温度を調整する。【選択図】図１
2018030181.tif 000002
【特許請求の範囲】
【請求項１】
基板を研磨パッドの表面に押し付けながら基板を研磨し、
基板を研磨しているときに、前記研磨パッドの半径方向に沿った、前記研磨パッドの表面温度分布を測定し、
前記研磨パッドの表面上のターゲット位置での前記研磨パッドの表面温度を前記表面温度分布から取得し、
前記ターゲット位置での表面温度と、予め設定された目標温度との偏差をなくすためのパッド温度調整システムの操作量を計算し、
前記操作量に従って前記パッド温度調整システムを操作しながら、前記パッド温度調整システムで前記研磨パッドの表面温度を調整することを特徴とする研磨方法。
【請求項２】
前記表面温度分布は、サーモグラフィまたはサーモパイルアレイを用いて測定されることを特徴とする請求項１に記載の研磨方法。
【請求項３】
前記サーモグラフィまたはサーモパイルアレイによって生成された前記研磨パッドの表面温度分布の画像を温度表示器に表示し、
前記画像上において前記ターゲット位置を指定する工程をさらに含むことを特徴とする請求項２に記載の研磨方法。
【請求項４】
前記ターゲット位置は、前記研磨パッドの表面上の点、線分、または領域であることを特徴とする請求項１に記載の研磨方法。
【請求項５】
前記パッド温度調整システムの操作量を計算する工程は、流量制御バルブの操作量を計算する工程であり、
前記操作量に従って前記パッド温度調整システムを操作しながら、前記パッド温度調整システムで前記研磨パッドの表面温度を調整する工程は、前記操作量に従って前記流量制御バルブを操作し、前記流量制御バルブを通じて加熱流体または冷却流体をパッド接触部材に供給しながら、前記パッド接触部材を前記研磨パッドの表面に接触させることによって前記研磨パッドの表面温度を調整する工程であることを特徴とする請求項１に記載の研磨方法。
【請求項６】
前記パッド温度調整システムの操作量を計算する工程は、流量制御バルブの操作量を計算する工程であり、
前記操作量に従って前記パッド温度調整システムを操作しながら、前記パッド温度調整システムで前記研磨パッドの表面温度を調整する工程は、前記操作量に従って前記流量制御バルブを操作し、前記流量制御バルブを通じて流体を冷却ノズルに供給し、前記流体を前記冷却ノズルから前記研磨パッドの表面に向かって噴射することによって前記研磨パッドの表面温度を調整する工程であることを特徴とする請求項１に記載の研磨方法。
【請求項７】
前記ターゲット位置での前記研磨パッドの表面温度を取得する工程は、前記研磨パッドの表面上の複数のターゲット位置での前記研磨パッドの表面温度を前記表面温度分布から取得する工程であり、
前記パッド温度調整システムの操作量を計算する工程は、前記複数のターゲット位置での表面温度の平均値と、予め設定された目標温度との偏差をなくすためのパッド温度調整システムの操作量を計算する工程であることを特徴とする請求項１に記載の研磨方法。
【請求項８】
基板を研磨パッドの表面に押し付ける研磨ヘッドと、
前記研磨パッドの半径方向に沿った、前記研磨パッドの表面温度分布を測定するパッド温度測定器と、
前記研磨パッドの表面温度を調整するパッド温度調整システムと、
前記研磨パッドの表面上のターゲット位置での前記研磨パッドの表面温度を前記表面温度分布から取得し、前記ターゲット位置での表面温度と、予め設定された目標温度との偏差をなくすためのパッド温度調整システムの操作量を計算し、前記操作量に従って前記パッド温度調整システムを操作する動作制御部を備えたことを特徴とする研磨装置。
【請求項９】
前記パッド温度測定器は、サーモグラフィまたはサーモパイルアレイであることを特徴とする請求項８に記載の研磨装置。
【請求項１０】
前記サーモグラフィまたはサーモパイルアレイによって生成された前記研磨パッドの表面温度分布の画像を表示する温度表示器をさらに備え、前記温度表示器は、前記画像上において前記ターゲット位置を指定することができる入力機能を備えていることを特徴とする請求項９に記載の研磨装置。
【請求項１１】
前記パッド温度調整システムは、
前記研磨パッドの表面に接触可能なパッド接触部材と、
加熱流体または冷却流体を前記パッド接触部材に移送するための流体供給管と、
前記流体供給管に取り付けられた流量制御バルブを備え、
前記動作制御部は、前記ターゲット位置での表面温度と、予め設定された目標温度との偏差をなくすための前記流量制御バルブの操作量を計算し、前記操作量に従って前記流量制御バルブを操作するように構成されていることを特徴とする請求項８に記載の研磨装置。
【請求項１２】
前記パッド温度調整システムは、
前記研磨パッドの表面を向いて配置された冷却ノズルと、
流体を前記冷却ノズルに移送するための流体供給管と、
前記流体供給管に取り付けられた流量制御バルブを備え、
前記動作制御部は、前記ターゲット位置での表面温度と、予め設定された目標温度との偏差をなくすための前記流量制御バルブの操作量を計算し、前記操作量に従って前記流量制御バルブを操作するように構成されていることを特徴とする請求項８に記載の研磨装置。
【請求項１３】
前記動作制御部は、前記研磨パッドの表面上の複数のターゲット位置での前記研磨パッドの表面温度を前記表面温度分布から取得し、前記複数のターゲット位置での表面温度の平均値と、予め設定された目標温度との偏差をなくすためのパッド温度調整システムの操作量を計算し、前記操作量に従って前記パッド温度調整システムを操作するように構成されていることを特徴とする請求項８に記載の研磨装置。
【請求項１４】
研磨ヘッドに指令を与えて、基板を研磨パッドの表面に押し付けながら基板を研磨する動作を前記研磨ヘッドに実行させるステップと、
パッド温度測定器に指令を与えて、基板を研磨しているときに、前記研磨パッドの半径方向に沿った、前記研磨パッドの表面温度分布を測定する動作を前記パッド温度測定器に実行させるステップと、
前記研磨パッドの表面上のターゲット位置での前記研磨パッドの表面温度を前記表面温度分布から取得するステップと、
前記ターゲット位置での表面温度と、予め設定された目標温度との偏差をなくすためのパッド温度調整システムの操作量を計算するステップと、
前記操作量に従って前記パッド温度調整システムを操作するステップをコンピュータに実行させるためのプログラムを記録した非一時的なコンピュータ読み取り可能な記録媒体。
【発明の詳細な説明】
【技術分野】
【０００１】
本発明は、ウェーハなどの基板を研磨する研磨方法、研磨装置、および該研磨装置の研磨パッドの表面温度を制御するためのコンピュータプログラムを記録した記録媒体に関するものである。
【背景技術】
【０００２】
ＣＭＰ（Chemical  Mechanical  Polishing）装置は、半導体デバイスの製造において、ウェーハの表面を研磨する工程に使用される。ＣＭＰ装置は、ウェーハを研磨ヘッドで保持してウェーハを回転させ、さらに回転する研磨テーブル上の研磨パッドにウェーハを押し付けてウェーハの表面を研磨する。研磨中、研磨パッドには研磨液（スラリー）が供給され、ウェーハの表面は、研磨液の化学的作用と研磨液に含まれる砥粒の機械的作用により平坦化される。
【０００３】
ウェーハの研磨レートは、ウェーハの研磨パッドに対する研磨荷重のみならず、研磨パッドの表面温度にも依存する。これは、ウェーハに対する研磨液の化学的作用が温度に依存するからである。図１３は、研磨パッドの表面温度と、ウェーハの研磨レートとの関係の一例を示すグラフである。研磨レートは、研磨によって単位時間当たりに除去されるウェーハの膜の量（厚さ）を示す指標であり、除去レートとも呼ばれる。図１３に示す例では、研磨レートは、研磨パッドの表面温度に従って上昇している。このように、ウェーハの研磨レートは、ウェーハ研磨中の研磨パッドの表面温度に依存して変わり得る。
【０００４】
そこで、研磨パッドの表面温度を制御することができるＣＭＰ装置が開発されている。このタイプのＣＭＰ装置は、パッド温度センサとパッド温度調整装置を備えている。パッド温度センサは、ウェーハの中心に接触する研磨パッドの領域の表面温度を測定するように配置されている。パッド温度調整装置は、研磨パッドの表面温度の測定値に基づいて研磨パッドの表面温度を調整するように構成されている。
【先行技術文献】
【特許文献】
【０００５】
【特許文献１】特開２０１１−１３６４０６号公報
【発明の概要】
【発明が解決しようとする課題】
【０００６】
しかしながら、図１４に示すように、研磨パッドの表面温度は、研磨パッドの半径方向の位置に従って変わる。さらに、図１５に示すように、ウェーハのエッジ部の研磨レートは、ウェーハの中心部の研磨レートと異なることがある。このため、従来のＣＭＰ装置では、ウェーハの中心部以外の部位、特にエッジ部の研磨レートの制御が難しかった。
【０００７】
そこで、本発明は、研磨パッドの所望の領域の表面温度に基づいて研磨パッドの表面温度を制御しながら基板を研磨することができる研磨方法および研磨装置を提供することを目的とする。
【課題を解決するための手段】
【０００８】
上述した目的を達成するために、本発明の一態様は、基板を研磨パッドの表面に押し付けながら基板を研磨し、基板を研磨しているときに、前記研磨パッドの半径方向に沿った、前記研磨パッドの表面温度分布を測定し、前記研磨パッドの表面上のターゲット位置での前記研磨パッドの表面温度を前記表面温度分布から取得し、前記ターゲット位置での表面温度と、予め設定された目標温度との偏差をなくすためのパッド温度調整システムの操作量を計算し、前記操作量に従って前記パッド温度調整システムを操作しながら、前記パッド温度調整システムで前記研磨パッドの表面温度を調整することを特徴とする研磨方法である。
【０００９】
本発明の好ましい態様は、前記表面温度分布は、サーモグラフィまたはサーモパイルアレイを用いて測定されることを特徴とする。
本発明の好ましい態様は、前記サーモグラフィまたはサーモパイルアレイによって生成された前記研磨パッドの表面温度分布の画像を温度表示器に表示し、前記画像上において前記ターゲット位置を指定する工程をさらに含むことを特徴とする。
本発明の好ましい態様は、前記ターゲット位置は、前記研磨パッドの表面上の点、線分、または領域であることを特徴とする。
【００１０】
本発明の好ましい態様は、前記パッド温度調整システムの操作量を計算する工程は、流量制御バルブの操作量を計算する工程であり、前記操作量に従って前記パッド温度調整システムを操作しながら、前記パッド温度調整システムで前記研磨パッドの表面温度を調整する工程は、前記操作量に従って前記流量制御バルブを操作し、前記流量制御バルブを通じて加熱流体または冷却流体をパッド接触部材に供給しながら、前記パッド接触部材を前記研磨パッドの表面に接触させることによって前記研磨パッドの表面温度を調整する工程であることを特徴とする。
本発明の好ましい態様は、前記パッド温度調整システムの操作量を計算する工程は、流量制御バルブの操作量を計算する工程であり、前記操作量に従って前記パッド温度調整システムを操作しながら、前記パッド温度調整システムで前記研磨パッドの表面温度を調整する工程は、前記操作量に従って前記流量制御バルブを操作し、前記流量制御バルブを通じて流体を冷却ノズルに供給し、前記流体を前記冷却ノズルから前記研磨パッドの表面に向かって噴射することによって前記研磨パッドの表面温度を調整する工程であることを特徴とする。
本発明の好ましい態様は、前記ターゲット位置での前記研磨パッドの表面温度を取得する工程は、前記研磨パッドの表面上の複数のターゲット位置での前記研磨パッドの表面温度を前記表面温度分布から取得する工程であり、前記パッド温度調整システムの操作量を計算する工程は、前記複数のターゲット位置での表面温度の平均値と、予め設定された目標温度との偏差をなくすためのパッド温度調整システムの操作量を計算する工程であることを特徴とする。
【００１１】
本発明の一態様は、基板を研磨パッドの表面に押し付ける研磨ヘッドと、前記研磨パッドの半径方向に沿った、前記研磨パッドの表面温度分布を測定するパッド温度測定器と、前記研磨パッドの表面温度を調整するパッド温度調整システムと、前記研磨パッドの表面上のターゲット位置での前記研磨パッドの表面温度を前記表面温度分布から取得し、前記ターゲット位置での表面温度と、予め設定された目標温度との偏差をなくすためのパッド温度調整システムの操作量を計算し、前記操作量に従って前記パッド温度調整システムを操作する動作制御部を備えたことを特徴とする研磨装置である。
【００１２】
本発明の好ましい態様は、前記パッド温度測定器は、サーモグラフィまたはサーモパイルアレイであることを特徴とする。
本発明の好ましい態様は、前記サーモグラフィまたはサーモパイルアレイによって生成された前記研磨パッドの表面温度分布の画像を表示する温度表示器をさらに備え、前記温度表示器は、前記画像上において前記ターゲット位置を指定することができる入力機能を備えていることを特徴とする。
【００１３】
本発明の好ましい態様は、前記パッド温度調整システムは、前記研磨パッドの表面に接触可能なパッド接触部材と、加熱流体または冷却流体を前記パッド接触部材に移送するための流体供給管と、前記流体供給管に取り付けられた流量制御バルブを備え、前記動作制御部は、前記ターゲット位置での表面温度と、予め設定された目標温度との偏差をなくすための前記流量制御バルブの操作量を計算し、前記操作量に従って前記流量制御バルブを操作するように構成されていることを特徴とする。
本発明の好ましい態様は、前記パッド温度調整システムは、前記研磨パッドの表面を向いて配置された冷却ノズルと、流体を前記冷却ノズルに移送するための流体供給管と、前記流体供給管に取り付けられた流量制御バルブを備え、前記動作制御部は、前記ターゲット位置での表面温度と、予め設定された目標温度との偏差をなくすための前記流量制御バルブの操作量を計算し、前記操作量に従って前記流量制御バルブを操作するように構成されていることを特徴とする。
本発明の好ましい態様は、前記動作制御部は、前記研磨パッドの表面上の複数のターゲット位置での前記研磨パッドの表面温度を前記表面温度分布から取得し、前記複数のターゲット位置での表面温度の平均値と、予め設定された目標温度との偏差をなくすためのパッド温度調整システムの操作量を計算し、前記操作量に従って前記パッド温度調整システムを操作するように構成されていることを特徴とする。
【００１４】
本発明の一態様は、研磨ヘッドに指令を与えて、基板を研磨パッドの表面に押し付けながら基板を研磨する動作を前記研磨ヘッドに実行させるステップと、パッド温度測定器に指令を与えて、基板を研磨しているときに、前記研磨パッドの半径方向に沿った、前記研磨パッドの表面温度分布を測定する動作を前記パッド温度測定器に実行させるステップと、前記研磨パッドの表面上のターゲット位置での前記研磨パッドの表面温度を前記表面温度分布から取得するステップと、前記ターゲット位置での表面温度と、予め設定された目標温度との偏差をなくすためのパッド温度調整システムの操作量を計算するステップと、前記操作量に従って前記パッド温度調整システムを操作するステップをコンピュータに実行させるためのプログラムを記録した非一時的なコンピュータ読み取り可能な記録媒体である。
【発明の効果】
【００１５】
本発明によれば、ウェーハなどの基板の研磨中に、研磨パッドの半径方向に沿った表面温度分布が測定される。したがって、基板の中心部またはエッジ部などの所望の領域に接触する研磨パッドの表面温度を監視しながら、研磨パッドの表面温度を調整することができる。基板は、目標研磨プロファイルを実現するために調整された表面温度を有する研磨パッドに接触し、最適な研磨レートで研磨される。結果として、目標研磨プロファイルを達成することができる。
【図面の簡単な説明】
【００１６】
【図１】研磨装置の一実施形態を示す模式図である。
【図２】研磨装置の他の実施形態を示す模式図である。
【図３】パッド接触部材を示す水平断面図である。
【図４】研磨パッド上のパッド接触部材と研磨ヘッドとの位置関係を示す平面図である。
【図５】パッド温度測定器の温度測定領域を上から見た図である。
【図６】パッド温度測定器の温度測定領域を横から見た図である。
【図７】温度表示器を示す模式図である。
【図８】パッド接触部材に代えて冷却ノズルを備えた他の実施形態を示す図である。
【図９】パッド温度測定値の他の実施形態を示す図である。
【図１０】パッド温度測定値のさらに他の実施形態を示す図である。
【図１１】動作制御部の構成を示す模式図である。
【図１２】プログラムに従って動作する動作制御部の動作ステップを示すフローチャートである。
【図１３】研磨パッドの表面温度と、ウェーハの研磨レートとの関係の一例を示すグラフである。
【図１４】研磨パッドの表面温度と、研磨パッドの半径方向の位置との関係の一例を示すグラフである。
【図１５】研磨レートと、ウェーハの半径方向の位置との関係の一例を示すグラフである。
【発明を実施するための形態】
【００１７】
以下、本発明の実施形態について図面を参照して説明する。
図１は、研磨装置を示す模式図である。図１に示すように、研磨装置は、基板の一例であるウェーハＷを保持して回転させる研磨ヘッド１と、研磨パッド３を支持する研磨テーブル２と、研磨パッド３の表面に研磨液（例えばスラリー）を供給する研磨液供給ノズル４と、研磨パッド３の表面温度を調整するパッド温度調整システム５とを備えている。研磨パッド３の表面（上面）は、ウェーハＷを研磨する研磨面を構成する。
【００１８】
研磨ヘッド１は鉛直方向に移動可能であり、かつその軸心を中心として矢印で示す方向に回転可能となっている。ウェーハＷは、研磨ヘッド１の下面に真空吸着などによって保持される。研磨テーブル２にはモータ（図示せず）が連結されており、矢印で示す方向に回転可能となっている。図１に示すように、研磨ヘッド１および研磨テーブル２は、同じ方向に回転する。研磨パッド３は、研磨テーブル２の上面に貼り付けられている。
【００１９】
研磨装置は、研磨テーブル２上の研磨パッド３をドレッシングするドレッサ２０をさらに備えている。ドレッサ２０は研磨パッド３の表面上を研磨パッド３の半径方向に揺動するように構成されている。ドレッサ２０の下面は、ダイヤモンド粒子などの多数の砥粒からなるドレッシング面を構成する。ドレッサ２０は、研磨パッド３の研磨面上を揺動しながら回転し、研磨パッド３を僅かに削り取ることにより研磨パッド３の表面をドレッシングする。
【００２０】
ウェーハＷの研磨は次のようにして行われる。研磨されるウェーハＷは、研磨ヘッド１によって保持され、さらに研磨ヘッド１によって回転される。一方、研磨パッド３は、研磨テーブル２とともに回転される。この状態で、研磨パッド３の表面には研磨液供給ノズル４から研磨液が供給され、さらにウェーハＷの表面は、研磨ヘッド１によって研磨パッド３の表面（すなわち研磨面）に対して押し付けられる。ウェーハＷの表面は、研磨液の存在下での研磨パッド３との摺接により研磨される。ウェーハＷの表面は、研磨液の化学的作用と研磨液に含まれる砥粒の機械的作用により平坦化される。
【００２１】
パッド温度調整システム５は、研磨パッド３の表面温度を調整するための流体が流れる流路が内部に形成されたパッド接触部材１１と、温度調整された加熱流体および冷却流体をパッド接触部材１１に供給する流体供給システム３０とを備えている。パッド接触部材１１は、研磨パッド３の表面に接触することができるパッド接触面を有している。
【００２２】
パッド温度調整システム５は、パッド接触部材１１を研磨パッド３の表面と平行に移動させるスライド機構（平行移動機構）７１をさらに備えている。パッド接触部材１１は、スライド機構７１に保持されている。このスライド機構７１は、パッド接触部材１１の下面（すなわちパッド接触面）が研磨パッド３の表面に接触した状態で、パッド接触部材１１を研磨パッド３の半径方向に移動させることが可能に構成されている。スライド機構７１としては、サーボモータとボールねじ機構との組み合わせ、またはエアシリンダなどから構成される。
【００２３】
流体供給システム３０は、温度調整された流体を貯留する流体供給源としての流体供給タンク３１と、流体供給タンク３１とパッド接触部材１１とを連結する加熱流体供給管３２および加熱流体戻り管３３とを備えている。加熱流体供給管３２および加熱流体戻り管３３の一方の端部は流体供給タンク３１に接続され、他方の端部はパッド接触部材１１に接続されている。
【００２４】
温度調整された加熱流体は、流体供給タンク３１から加熱流体供給管３２を通じてパッド接触部材１１に供給され、パッド接触部材１１内を流れ、そしてパッド接触部材１１から加熱流体戻り管３３を通じて流体供給タンク３１に戻される。このように、加熱流体は、流体供給タンク３１とパッド接触部材１１との間を循環する。流体供給タンク３１は、ヒータ（図示せず）を有しており、加熱流体はヒータにより所定の温度に加熱される。
【００２５】
加熱流体供給管３２には、第１開閉バルブ４１および第１流量制御バルブ４２が取り付けられている。第１流量制御バルブ４２は、パッド接触部材１１と第１開閉バルブ４１との間に配置されている。第１開閉バルブ４１は、流量調整機能を有しないバルブであるのに対し、第１流量制御バルブ４２は、流量調整機能を有するバルブである。
【００２６】
流体供給システム３０は、パッド接触部材１１に接続された冷却流体供給管５１および冷却流体排出管５２をさらに備えている。冷却流体供給管５１は、研磨装置が設置される工場に設けられている冷却流体供給源（例えば、冷水供給源）に接続されている。冷却流体は、冷却流体供給管５１を通じてパッド接触部材１１に供給され、パッド接触部材１１内を流れ、そしてパッド接触部材１１から冷却流体排出管５２を通じて排出される。
【００２７】
冷却流体供給管５１には、第２開閉バルブ５５および第２流量制御バルブ５６が取り付けられている。第２流量制御バルブ５６は、パッド接触部材１１と第２開閉バルブ５５との間に配置されている。第２開閉バルブ５５は、流量調整機能を有しないバルブであるのに対し、第２流量制御バルブ５６は、流量調整機能を有するバルブである。
【００２８】
図２は研磨装置の他の実施形態を示す模式図である。図２に示すように、冷却流体供給管５１および冷却流体排出管５２の一方の端部は流体供給タンク３１に接続され、他方の端部はパッド接触部材１１に接続されてもよい。本実施形態では、流体供給タンク３１とパッド接触部材１１との間を循環する冷却流体は流体供給タンク３１内で冷却される。同様に、流体供給タンク３１とパッド接触部材１１との間を循環する加熱流体は流体供給タンク３１内で加熱される。図２では、冷却流体排出管５２は冷却流体戻り管である。
【００２９】
図１に戻り、パッド温度調整システム５は、研磨パッド３の表面温度（以下、パッド表面温度ということがある）を測定するパッド温度測定器３９と、パッド温度測定器３９により測定されたパッド表面温度に基づいて第１流量制御バルブ４２および第２流量制御バルブ５６を操作する動作制御部４０とをさらに備えている。第１開閉バルブ４１および第２開閉バルブ５５は、通常は開かれている。
【００３０】
パッド接触部材１１に供給される加熱流体としては、温水が使用される。温水は、流体供給タンク３１のヒータにより、例えば約８０℃に加熱される。より速やかに研磨パッド３の表面温度を上昇させる場合には、シリコーンオイルを加熱流体として使用してもよい。シリコーンオイルを加熱流体として使用する場合には、シリコーンオイルは流体供給タンク３１のヒータにより１００℃以上（例えば、約１２０℃）に加熱される。パッド接触部材１１に供給される冷却流体としては、冷水またはシリコーンオイルが使用される。シリコーンオイルを冷却流体として使用する場合には、冷却流体供給源としてチラーを冷却流体供給管５１に接続し、シリコーンオイルを０℃以下に冷却することで、研磨パッド３を速やかに冷却することができる。
【００３１】
加熱流体供給管３２および冷却流体供給管５１は、完全に独立した配管である。したがって、加熱流体および冷却流体は、混合されることなく、同時にパッド接触部材１１に供給される。加熱流体戻り管３３および冷却流体排出管５２も、完全に独立した配管である。したがって、加熱流体は、冷却流体と混合されることなく流体供給タンク３１に戻され、冷却流体は、加熱流体と混合されることなく排出される。
【００３２】
次に、パッド接触部材１１の一例について、図３を参照して説明する。図３は、パッド接触部材１１を示す水平断面図である。図３に示すように、パッド接触部材１１は、その内部に形成された加熱流路６１および冷却流路６２を有する熱交換部材である。加熱流路６１および冷却流路６２は、互いに隣接して延びており、かつ螺旋状に延びている。本実施形態では、加熱流路６１は、冷却流路６２よりも短い。
【００３３】
加熱流体供給管３２は、加熱流路６１の入口６１ａに接続されており、加熱流体戻り管３３は、加熱流路６１の出口６１ｂに接続されている。冷却流体供給管５１は、冷却流路６２の入口６２ａに接続されており、冷却流体排出管５２は、冷却流路６２の出口６２ｂに接続されている。加熱流路６１および冷却流路６２の入口６１ａ，６２ａは、パッド接触部材１１の周縁部に位置しており、加熱流路６１および冷却流路６２の出口６１ｂ，６２ｂは、パッド接触部材１１の中心部に位置している。したがって、加熱流体および冷却流体は、パッド接触部材１１の周縁部から中心部に向かって螺旋状に流れる。加熱流路６１および冷却流路６２は、完全に分離しており、パッド接触部材１１内で加熱流体および冷却流体が混合されることはない。なお、加熱流路６１および冷却流路６２の形状は、図３に示す実施形態に限定されず、パッド接触部材１１は、ジグザグ状の加熱流路および冷却流路を有してもよい。
【００３４】
図４は、研磨パッド３上のパッド接触部材１１と研磨ヘッド１との位置関係を示す平面図である。パッド接触部材１１は、上から見たときに円形であり、パッド接触部材１１の直径は研磨ヘッド１の直径よりも小さい。研磨パッド３の中心ＣＬからパッド接触部材１１の中心までの距離は、研磨パッド３の中心ＣＬから研磨ヘッド１の中心までの距離と同じである。加熱流路６１および冷却流路６２は、互いに隣接しているので、加熱流路６１および冷却流路６２は、研磨パッド３の径方向のみならず、研磨パッド３の周方向に沿って並んでいる。したがって、研磨テーブル２および研磨パッド３が回転している間、パッド接触部材１１に接触する研磨パッド３は、加熱流体および冷却流体の両方と熱交換を行う。
【００３５】
パッド温度測定器３９は、研磨パッド３の表面の上方に配置されており、非接触で研磨パッド３の表面温度を測定するように構成されている。パッド温度測定器３９は、動作制御部４０に接続されており、さらに動作制御部４０を介して温度表示器４５に接続されている。本実施形態では、パッド温度測定器３９は、研磨パッド３の表面温度分布を測定するサーモグラフィまたはサーモパイルアレイである。パッド温度測定器３９に、ウェーハＷの研磨によって飛び散った液体（スラリーなど）が付着すると、パッド温度測定器３９は、研磨パッド３の表面温度を正確に測定することができないことがある。したがって、パッド温度測定器３９は研磨パッド３の表面から十分に高い位置に配置されている。
【００３６】
図５はパッド温度測定器３９の温度測定領域を上から見た図であり、図６はパッド温度測定器３９の温度測定領域を横から見た図である。図５および図６に示すように、パッド温度測定器３９は、研磨パッド３の中心ＣＬと研磨パッド３の外周部３ａとを含む領域における研磨パッド３の表面温度を測定するように構成されている（図５および図６の点線参照）。より具体的には、パッド温度測定器３９は、研磨パッド３の半径方向に沿った、研磨パッド３の表面温度分布を測定するように構成されている。
【００３７】
パッド温度測定器３９は、非接触で研磨パッド３の表面温度分布を測定し、表面温度分布の測定データを動作制御部４０および温度表示器４５に送る。パッド温度測定器３９は、所定時間毎に研磨パッド３の表面温度分布を測定してもよい。動作制御部４０は、ウェーハＷの研磨中に、研磨パッド３の表面上の予め指定されたターゲット位置での研磨パッド３の表面温度を表面温度分布から取得し、ターゲット位置での表面温度と、予め設定された目標温度との偏差をなくすためのパッド温度調整システム５の操作量を計算し、ウェーハＷの研磨中に、操作量に従ってパッド温度調整システム５を操作する。一実施形態では、動作制御部４０は、ＰＩＤ演算を行ってパッド温度調整システム５の操作量を計算してもよい。
【００３８】
図１に示す実施形態では、動作制御部４０は、ターゲット位置での表面温度と、予め設定された目標温度との偏差をなくすための第１流量制御バルブ４２および第２流量制御バルブ５６の操作量を計算し、操作量に従って第１流量制御バルブ４２および第２流量制御バルブ５６を操作する。一実施形態では、動作制御部４０は、ＰＩＤ演算を行って第１流量制御バルブ４２および第２流量制御バルブ５６の操作量を計算してもよい。ウェーハＷの研磨中、加熱流体および／または冷却流体は、第１流量制御バルブ４２および／または第２流量制御バルブ５６を通じて研磨パッド３の表面上のパッド接触部材１１に供給される。パッド接触部材１１を流れる加熱流体および／または冷却流体と研磨パッド３との間で熱交換が行われ、これによりパッド表面温度が変化する。このようにして、動作制御部４０は、ウェーハＷの研磨中、パッド表面温度が、予め設定された目標温度に維持されるように第１流量制御バルブ４２および第２流量制御バルブ５６を操作し、これによって研磨パッド３の表面に接触しているパッド接触部材１１は、研磨パッド３の表面温度を調整することができる。
【００３９】
図７は温度表示器４５を示す模式図である。図７に示すように、パッド温度調整システム５は、パッド温度測定器３９によって測定された研磨パッド３の表面温度分布を表示する温度表示器４５をさらに備えている。動作制御部４０はパッド温度測定器３９および温度表示器４５に接続されている。パッド温度測定器３９は、研磨パッド３の半径方向に沿った表面温度分布を測定し、測定された研磨パッド３の表面温度分布の測定データを動作制御部４０および温度表示器４５に送る。
【００４０】
温度表示器４５は、研磨パッド３の表面温度分布を表示することができるスクリーン４６を有している。本実施形態では、パッド温度測定器３９は、サーモグラフィまたはサーモパイルアレイである。温度表示器４５には、研磨パッド３の各表面位置（つまり、直交座標系で表される研磨パッド３の表面位置）の温度が色で表現されるなど、視覚的にわかりやすく表示される。例えば、温度が高い研磨パッド３の表面位置は赤色で表され、温度が低い研磨パッド３の表面位置は青色で表される。温度表示器４５は、研磨パッド３の表面温度分布を、色分布として表示する。より具体的には、温度表示器４５は、温度に従って色分けされた研磨パッド３の表面温度分布の画像を表示する。
【００４１】
温度表示器４５は、研磨パッド３の表面温度分布の画像上において上記ターゲット位置を指定することができる入力機能を備えている。例えば、図７に示すように、スクリーン４６上のポインター４７を画像上の所望の位置まで移動させることで、画像上にターゲット位置を指定することができる。あるいは、図示しないキーボードなどの入力装置を用いてターゲット位置の座標を入力することによって、ターゲット位置を指定してもよい。本実施形態では、温度表示器４５は、インターフェイス装置としても機能する。さらに、ウェーハＷの研磨中にターゲット位置を再指定することによって、ターゲット位置を変えることができる。
【００４２】
動作制御部４０は、ウェーハＷの研磨中に、指定されたターゲット位置での研磨パッド３の表面温度を表面温度分布から取得する。ターゲット位置は、研磨パッド３の表面上の点、線分、または領域であってもよい。ターゲット位置が線分または領域である場合、動作制御部４０は、ターゲット位置での複数の表面温度の平均値を算出するように構成されている。ターゲット位置は、複数指定することができる。この場合も、動作制御部４０は、複数のターゲット位置での複数の表面温度の平均値を算出するように構成されている。
【００４３】
動作制御部４０は、予め設定された目標温度と、指定されたターゲット位置での研磨パッド３の表面温度との差を無くすために必要な第１流量制御バルブ４２の操作量および第２流量制御バルブ５６の操作量を計算するように構成されている。第１流量制御バルブ４２の操作量および第２流量制御バルブ５６の操作量は、言い換えれば、バルブ開度である。第１流量制御バルブ４２の操作量は、加熱流体の流量に比例し、第２流量制御バルブ５６の操作量は、冷却流体の流量に比例する。
【００４４】
第１流量制御バルブ４２および第２流量制御バルブ５６のそれぞれの操作量を０％から１００％までの数値で表したときに、動作制御部４０は、第１流量制御バルブ４２の操作量を１００％から引き算することで、第２流量制御バルブ５６の操作量を決定するように構成されている。一実施形態では、動作制御部４０は、第２流量制御バルブ５６の操作量を１００％から引き算することで、第１流量制御バルブ４２の操作量を決定してもよい。
【００４５】
第１流量制御バルブ４２の操作量が１００％であることは、第１流量制御バルブ４２が全開であることを示し、第１流量制御バルブ４２の操作量が０％であることは、第１流量制御バルブ４２が完全に閉じられていることを示している。同様に、第２流量制御バルブ５６の操作量が１００％であることは、第２流量制御バルブ５６が全開であることを示し、第２流量制御バルブ５６の操作量が０％であることは、第２流量制御バルブ５６が完全に閉じられていることを示している。
【００４６】
第１流量制御バルブ４２の操作量が１００％であるときの加熱流体の流量は、第２流量制御バルブ５６の操作量が１００％であるときの冷却流体の流量と同じである。したがって、第１流量制御バルブ４２を通過する加熱流体の流量と、第２流量制御バルブ５６を通過する冷却流体の流量との合計は、常に一定である。
【００４７】
動作制御部４０は、第１流量制御バルブ４２の操作量と、第２流量制御バルブ５６の操作量との総和が１００％となるように、第１流量制御バルブ４２および第２流量制御バルブ５６を操作する。
【００４８】
本実施形態によれば、ウェーハの研磨中に、研磨パッド３の半径方向に沿った表面温度分布が測定される。したがって、ウェーハの中心部またはエッジ部などの所望の領域に接触する研磨パッド３の表面温度を監視しながら、研磨パッド３の表面温度を調整することができる。ウェーハは、目標研磨プロファイルを実現するために調整された表面温度を有する研磨パッド３に接触し、最適な研磨レートで研磨される。結果として、目標研磨プロファイルを達成することができる。
【００４９】
図８はパッド接触部材１１の他の実施形態を示す図である。特に説明しない本実施形態の構成および動作は、上述した実施形態と同じであるので、その重複する説明を省略する。図８に示すように、パッド温度調整システム５は、パッド接触部材１１に代えて、研磨パッド３の表面に流体を噴射する冷却ノズルを備えている。本実施形態では、流体として、空気または不活性ガス（例えば窒素ガス）などの気体が使用される。冷却ノズル１４の内部には、流体が流れる冷却流路１２が形成されている。冷却流路１２は、流体供給管５３および冷却ノズル１４の噴射口に接続されている。流体供給管５３を通じて冷却ノズル１４に流体を供給すると、流体は冷却ノズル１４の噴射口から研磨パッド３の表面上に供給される。流体供給管５３には、冷却ノズル１４から研磨パッド３の表面上に供給される流体の流量を制御するための流量制御バルブ５６が取り付けられている。本実施形態では、加熱流体は使用されない。
【００５０】
動作制御部４０は、ウェーハＷの研磨中において、予め設定された目標温度と、指定されたターゲット位置での研磨パッド３の表面温度との差を無くすために必要な流量制御バルブ５６の操作量を計算し、この操作量に従って流量制御バルブ５６を操作することによって、研磨パッド３の表面温度を制御する。一実施形態では、動作制御部４０は、ＰＩＤ演算を行って流量制御バルブ５６の操作量を計算してもよい。
【００５１】
図９は、パッド温度測定器３９の他の実施形態を示す模式図である。特に説明しない本実施形態の構成および動作は、上述した実施形態と同じであるので、その重複する説明を省略する。図９においては、パッド温度調整システム５の図示は省略されている。本実施形態では、パッド温度測定器３９は、研磨パッド３の半径方向に沿って配列された第１温度センサ３９ａ、第２温度センサ３９ｂ、および第３温度センサ３９ｃを備えている。これら温度センサ３９ａ，３９ｂ，３９ｃは、動作制御部４０に接続されており、さらに動作制御部４０を介して温度表示器４５に接続されている。温度センサ３９ａ，３９ｂ，３９ｃは、研磨パッド３の表面の上方に配置されており、非接触で研磨パッド３の表面温度を測定できるように構成されている。
【００５２】
本実施形態では、第１温度センサ３９ａは、研磨ヘッド１に保持されたウェーハＷの内側エッジ部に接触する研磨パッド３の領域の上方に配置され、第２温度センサ３９ｂは、研磨ヘッド１に保持されたウェーハＷの中心に接触する研磨パッド３の領域の上方に配置され、第３温度センサ３９ｃは、研磨ヘッド１に保持されたウェーハＷの外側エッジ部に接触する研磨パッド３の領域の上方に配置されている。このように配置された複数の温度センサ３９ａ，３９ｂ，３９ｃを有するパッド温度測定器３９は、研磨パッド３の半径方向に沿った表面温度分布を測定することができる。
【００５３】
温度センサ３９ａ，３９ｂ，３９ｃに加えて、１つ以上の温度センサをさらに配置してもよい。例えば、温度センサ３９ａ，３９ｂの間に温度センサを配置し、温度センサ３９ｂ，３９ｃの間に温度センサを配置してもよい。研磨パッド３の中心および外周部の上方に温度センサをさらに配置してもよい。
【００５４】
図１０は、パッド温度測定器３９のさらに他の実施形態を示す模式図である。特に説明しない本実施形態の構成および動作は、上述した実施形態と同じであるので、その重複する説明を省略する。図１０においては、パッド温度調整システム５の図示は省略されている。本実施形態では、パッド温度測定器３９は、１つの温度センサ３９ｄと、この温度センサ３９ｄを研磨パッド３の半径方向に移動させるセンサ移動機構５０とを備えている。
【００５５】
温度センサ３９ｄは、動作制御部４０に接続されており、さらに動作制御部４０を介して温度表示器４５に接続されている。センサ移動機構５０は動作制御部４０に接続されており、センサ移動機構５０の動作は動作制御部４０によって制御される。温度センサ３９ｄは、研磨パッド３の表面の上方に配置されており、非接触で研磨パッド３の表面温度を測定できるように構成されている。センサ移動機構５０は、研磨パッド３の半径方向に沿って並ぶ複数の測定位置に温度センサ３９ｄを移動させ、温度センサ３９ｄは各測定位置において研磨パッド３の表面温度を測定する。このように構成されたパッド温度測定器３９は、研磨パッド３の半径方向に沿った表面温度分布を測定することができる。
【００５６】
上述した各実施形態において、動作制御部４０は、専用のコンピュータまたは汎用のコンピュータから構成される。図１１は、動作制御部４０の構成を示す模式図である。動作制御部４０は、プログラムやデータなどが格納される記憶装置１１０と、記憶装置１１０に格納されているプログラムに従って演算を行うＣＰＵ（中央処理装置）などの処理装置１２０と、データ、プログラム、および各種情報を記憶装置１１０に入力するための入力装置１３０と、処理結果や処理されたデータを出力するための出力装置１４０と、インターネットなどのネットワークに接続するための通信装置１５０を備えている。
【００５７】
記憶装置１１０は、処理装置１２０がアクセス可能な主記憶装置１１１と、データおよびプログラムを格納する補助記憶装置１１２を備えている。主記憶装置１１１は、例えばランダムアクセスメモリ（ＲＡＭ）であり、補助記憶装置１１２は、ハードディスクドライブ（ＨＤＤ）またはソリッドステートドライブ（ＳＳＤ）などのストレージ装置である。
【００５８】
入力装置１３０は、キーボード、マウスを備えており、さらに、記録媒体からデータを読み込むための記録媒体読み込み装置１３２と、記録媒体が接続される記録媒体ポート１３４を備えている。記録媒体は、非一時的な有形物であるコンピュータ読み取り可能な記録媒体であり、例えば、光ディスク（例えば、ＣＤ−ＲＯＭ、ＤＶＤ−ＲＯＭ）や、半導体メモリー（例えば、ＵＳＢフラッシュドライブ、メモリーカード）である。記録媒体読み込み装置１３２の例としては、ＣＤドライブ、ＤＶＤドライブなどの光学ドライブや、カードリーダーが挙げられる。記録媒体ポート１３４の例としては、ＵＳＢ端子が挙げられる。記録媒体に記録されているプログラムおよび／またはデータは、入力装置１３０を介して動作制御部４０に導入され、記憶装置１１０の補助記憶装置１１２に格納される。出力装置１４０は、ディスプレイ装置１４１、印刷装置１４２を備えている。印刷装置１４２は省略してもよい。上述した温度表示器４５は、動作制御部４０のためのディスプレイ装置として用いてもよい。この場合は、ディスプレイ装置１４１は省略してもよい。
【００５９】
動作制御部４０は、記憶装置１１０に電気的に格納されたプログラムに従って動作する。図１２はプログラムに従って動作する動作制御部４０の動作ステップを示すフローチャートである。動作制御部４０は、研磨ヘッド１に指令を与えて、ウェーハを研磨パッド３の表面に押し付けながらウェーハを研磨する動作を研磨ヘッド１に実行させるステップ（図１２のステップ１参照）と、パッド温度測定器３９に指令を与えて、ウェーハを研磨しているときに、研磨パッド３の半径方向に沿った、研磨パッド３の表面温度分布を測定する動作をパッド温度測定器３９に実行させるステップ（図１２のステップ２参照）と、研磨パッド３の表面上のターゲット位置での研磨パッド３の表面温度を表面温度分布から取得するステップ（図１２のステップ３参照）と、ターゲット位置での表面温度と、予め設定された目標温度との偏差をなくすためのパッド温度調整システム５の操作量（すなわち、流量制御バルブ４２，５６の操作量）を計算するステップ（図１２のステップ４参照）と、操作量に従ってパッド温度調整システム５を操作するステップ（図１２のステップ５参照）を実行する。
【００６０】
これらステップを動作制御部４０に実行させるためのプログラムは、非一時的な有形物であるコンピュータ読み取り可能な記録媒体に記録され、記録媒体を介して動作制御部４０に提供される。または、プログラムは、インターネットなどの通信ネットワークを介して動作制御部４０に提供されてもよい。
【００６１】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲に解釈されるものである。
【符号の説明】
【００６２】
１      研磨ヘッド
２      研磨テーブル
３      研磨パッド
４      研磨液供給ノズル
５      パッド温度調整システム
１１      パッド接触部材
１４      冷却ノズル
２０      ドレッサ
３０      流体供給システム
３１      流体供給タンク
３２      加熱流体供給管
３３      加熱流体戻り管
３９      パッド温度測定器
４０      動作制御部
４１      第１開閉バルブ
４２      第１流量制御バルブ
４５      温度表示器
４６      スクリーン
４７      ポインター
５０      センサ移動機構
５１      冷却流体供給管
５２      冷却流体排出管
５３      流体供給管
５５      第２開閉バルブ
５６      第２流量制御バルブ
６１      加熱流路
６２      冷却流路
７１      スライド機構（平行移動機構）
１１０    記憶装置
１２０    処理装置
１３０    入力装置
１４０    出力装置
１５０    通信装置
【図１】
2018030181.tif 000003
【図２】
2018030181.tif 000004
【図３】
2018030181.tif 000005
【図４】
2018030181.tif 000006
【図５】
2018030181.tif 000007
【図６】
2018030181.tif 000008
【図７】
2018030181.tif 000009
【図８】
2018030181.tif 000010
【図９】
2018030181.tif 000011
【図１０】
2018030181.tif 000012
【図１１】
2018030181.tif 000013
【図１２】
2018030181.tif 000014
【図１３】
2018030181.tif 000015
【図１４】
2018030181.tif 000016
【図１５】
2018030181.tif 000017